(57)【特許請求の範囲】
【請求項１】
扉板の上端部長手方向にわたって取り付けられると共に、前面部に手掛かり用凹所を形成せる把手本体の上部に、化粧材を嵌着してなる把手であって、化粧材が、表面層を透明性材料、裏面層を不透明性材料にて形成せる積層材料よりなると共に、化粧材の前面下端部を、把手本体の手掛かり用凹所より上方に位置させて嵌着してなることを特徴とする把手。
【請求項２】
不透明性材料が把手本体と同等の色調を有する請求項１記載の把手。
【発明の詳細な説明】
【０００１】
【発明の属する技術分野】
この出願の発明は、把手に関するものである。さらに詳しくは、この出願の発明は、把手本体と化粧材の嵌着部に異物が入り込んでも前から写り込んで見えるおそれがない把手に関するものである。
【０００２】
【従来の技術】
従来、流し台、厨房台、洗面化粧台等の引き出し前板体や、扉体等を構成する扉板に取り付けて使用する把手として、図３〜図５に例示したように、扉板（Ａ）の上端部長手方向全長にわたって取り付けられると共に、前面部に手掛かり用凹所（Ｂ１）を形成せる把手本体（Ｂ）の上部に、化粧材（Ｃ）を嵌着してなる把手（Ｄ）が検討されている。
【０００３】
また、把手本体（Ｂ）の上部に、化粧材（Ｃ）を嵌着して把手（Ｄ）を形成する場合には、図３〜図５に例示したように、化粧材（Ｃ）の先端部にて把手本体（Ｂ）の手掛かり用凹所（Ｂ１）の上部内面を包み込むように嵌着し、さらに、図３においては、化粧材（Ｃ）の先端部（Ｃ１）を把手本体（Ｂ）の手掛かり用凹所（Ｂ１）の上部内面先端に係止させて嵌着し、図４においては、化粧材（Ｃ）の先端部（Ｃ１）を把手本体（Ｂ）の手掛かり用凹所（Ｂ１）の上部内面先端に巻き込ませて嵌着し、図５においては、化粧材（Ｃ）の先端部（Ｃ１）を把手本体（Ｂ）の手掛かり用凹所（Ｂ１）の上部内壁面に喰い込ませると共に、中間部（Ｃ２）を把手本体（Ｂ）の手掛かり用凹所（Ｂ１）の上部天井面に喰い込ませて嵌着している。
【０００４】
また、図３〜図５において、（Ｅ）は、扉板（Ａ）に把手本体（Ｂ）を取り付ける把手取付具、（Ｆ）は、ビス等の止具である。
【０００５】
【発明が解決しようとする課題】
しかしながら、上記従来の把手（Ｄ）においては、金属材料よりなる把手本体（Ｂ）の上部に透明性を有する、所謂、透明〜半透明の合成樹脂材料よりなる化粧材（Ｃ）を嵌着して把手（Ｄ）を形成しているため、長期間の使用に際して、把手本体（Ｂ）と化粧材（Ｃ）の嵌着部に、醤油、ごみ等の異物が入り込んだ場合に、透明性を有する化粧材（Ｃ）を通して前から写り込んで見えて目立ち、外観を低下させるという問題があった。
【０００６】
この出願の発明は、以上の通りの事情に鑑みて為されたものであり、上記の問題点を解消し、把手本体と化粧材の嵌着部に異物が入り込んでも前から写り込んで見えるおそれがない把手を提供することを解決すべき課題としている。
【０００７】
【課題を解決するための手段】
この出願の発明は、上記の課題を解決するために為されたものであって、第１の発明は、扉板の上端部長手方向にわたって取り付けられると共に、前面部に手掛かり用凹所を形成せる把手本体の上部に、化粧材を嵌着してなる把手であって、化粧材が、表面層を透明性材料、裏面層を不透明性材料にて形成せる積層材料よりなると共に、化粧材の前面下端部を、把手本体の手掛かり用凹所より上方に位置させて嵌着してなることを特徴とする把手を提供する。
【０００８】
また、第２の発明は、不透明性材料が把手本体と同等の色調を有する前記の把手を提供する。
【０００９】
【発明の実施の形態】
この出願の発明は、上記の通りの特徴をもつものであるが、以下、その実施の形態について説明する。
【００１０】
図１は、この出願の発明の把手の一実施形態の取付状態を例示した縦断面図、図２は、同上一実施形態において使用せる化粧材を例示した縦断面図である。
【００１１】
図１および図２に例示したように、この出願の発明の把手は、流し台、厨房台、洗面化粧台等の引き出し前板体や、扉体等を構成する扉板（１）の上端部長手方向全長にわたって取り付けられると共に、前面部に、手を掛けて扉板（１）を引っぱる手掛かり用凹所（２１）を形成せる把手本体（２）の上部に、化粧材（３）を嵌着してなる把手（４）であって、化粧材（３）が、表面層を透明性材料（３１）、裏面層を不透明性材料（３２）にて形成せる積層材料よりなることを前提構成とする把手（４）に関するものである。
【００１２】
なお、この出願の発明において、前面部に手掛かり用凹所（２１）を形成せる把手本体（２）を形成する場合には、例えば、アルミニウム、ステンレス等の金属材料にて、図１に例示したように、断面略コ字形の前面開口溝形体よりなる把手本体（２）を形成すれば良い。
【００１３】
また、把手本体（２）の上部に、化粧材（３）を嵌着して把手（４）を形成する場合には、図１および図２に例示したように、把手本体（２）の前面上端部および背面上端部全長にわたって係止溝（２２）を形成すると共に、下面開口溝形体よりなる化粧材（３）の内側壁部全長にわたって係止溝（２２）に嵌合係止される係止突条（３３）を形成し、把手本体（２）の係止溝（２２）に化粧材（３）の係止突条（３３）を弾性力によって嵌合係止させつつ、必要に応じて、接着剤、粘着剤等の結合材を介して、把手本体（２）の上部全長にわたって化粧材（３）を嵌着して把手（４）を形成すれば良い。
【００１４】
また、表面層を透明性材料（３１）、裏面層を不透明性材料（３２）にて形成せる積層材料よりなる化粧材（３）を形成する場合には、例えば、表面層を、平滑表面、シボ入り表面等に形成した透明性アクリル樹脂等の透明性合成樹脂よりなる透明性材料（３１）にて形成し、裏面層を、顔料等の不透明材料を混入したアクリル樹脂等の不透明性合成樹脂よりなる不透明性材料（３２）にて形成せる２層構造の積層材料よりなる化粧材（３）を、押し出し成形、プレス成形等にて一体成形して形成すれば良い。
【００１５】
また、透明性材料（３１）としては、例えば、不透明性材料（３２）の色・柄等を透視することができる程度の透明性を有する、所謂、透明〜半透明の材料を使用すれば良い。
【００１６】
また、不透明性材料（３２）としては、例えば、把手本体（２）と化粧材（３）の嵌着部に入り込んだ異物が不透明性材料（３２）を通して前から写り込んで見えない程度の不透明性を有する、所謂、不透明〜略不透明の材料を使用すれば良い。
【００１７】
また、表面層を透明性材料（３１）、裏面層を不透明性材料（３２）にて形成せる積層材料にて化粧材（３）を形成した理由は、把手本体（２）と化粧材（３）の嵌着部に入り込んだ異物が前から写り込んで見えるのを不透明性材料（３２）にて阻止すると共に、外観上目立ち易い把手本体（２）の上部において、表面層の透明性材料（３１）を通して裏面層の不透明性材料（３２）の色・柄等を立体的に浮き上がらせ、深みのある色・柄等を有する外観の優れた把手（４）を形成するためである。
【００１８】
以上の通り、この出願の発明の把手（４）においては、前面部に手掛かり用凹所（２１）を形成せる把手本体（２）の上部に嵌着せる化粧材（３）が、表面層を透明性材料（３１）、裏面層を不透明性材料（３２）にて形成せる積層材料よりなるので、長期間の使用に際して、把手本体（２）と化粧材（３）の嵌着部に、醤油、ごみ等の異物が入り込んでも、異物が前から写り込んで見えるのを不透明性材料（３２）によって阻止することができ、入り込んだ異物が前から写り込んで見えるおそれがなく、外観の優れた把手（４）が得られる。
【００１９】
また、この出願の発明の把手（４）において、化粧材（３）を構成する不透明性材料（３２）が把手本体（２）と色・柄等が同一または略同一の、所謂、同等の色調を有する場合には、化粧材（３）を構成する透明性材料（３１）を通して把手本体（２）と同等の色調を有する不透明性材料（３２）が見え、化粧材（３）と把手本体（２）とが外観上違和感がなく、統一された色調を有する把手（４）が得られる。
【００２０】
なお、化粧材（３）を構成する不透明性材料（３２）の色調を把手本体（２）と異なった色調（例えば、木目調等）にした場合には、前方から見た時に、２トーンカラーの色調を有する把手（４）が得られる。
【００２１】
また、前述の図３〜図５に例示したように、把手本体（Ｂ）の上部に、化粧材（Ｃ）を嵌着して把手（Ｄ）を形成するに際して、化粧材（Ｃ）の先端部にて把手本体（Ｂ）の手掛かり用凹所（Ｂ１）の上部内面を包み込ませるように嵌着した場合（特に、図３の場合）には、把手（Ｄ）の手掛かり用凹所（Ｂ１）に手を掛けて扉板（Ａ）を引っぱる時に、手が化粧材（Ｃ）に触れて化粧材（Ｃ）を引っぱるようになるため、化粧材（Ｃ）が把手本体（Ｂ）から外れたり、把手本体（Ｂ）と化粧材（Ｃ）の嵌着部に隙間が生じたりして異物がさらに入り込み易くなるおそれがある。
【００２２】
しかしながら、この出願の発明の把手（４）においては、図１に例示したように、前面部に手掛かり用凹所（２１）を形成せる把手本体（２）の上部に、化粧材（３）を嵌着して把手（４）を形成するに際して、化粧材（３）の前面下端部（３４）を、把手本体（２）の手掛かり用凹所（２１）より上方に位置させて嵌着してなるので、把手（４）の手掛かり用凹所（２１）に手を掛けて扉板（１）を引っぱる時に、手が化粧材（３）に触れて化粧材（３）を引っぱるおそれがないため、化粧材（３）が把手本体（２）から外れたり、把手本体（２）と化粧材（３）の嵌着部に隙間が生じたりして異物がさらに入り込み易くなるおそれがない。
【００２３】
また、この出願の発明の把手（４）を扉板（１）の上端部長手方向にわたって取り付ける場合には、常法に従って、図１に例示したように、把手本体（２）の背面下端から底面にわたって係合する断面Ｌ字形のアングル体よりなる把手取付具（５）を介して、把手（４）を扉板（１）にビス等の止具（６）にて固着して取り付ければ良い。
【００２４】
勿論、この出願の発明は、以上の実施形態によって限定されるものではなく、把手本体および化粧材の材質、形状、透明性材料および不透明性材料の組成、配合等、細部については、様々な態様が可能であることはいうまでもない。
【００２５】
【発明の効果】
以上詳しく説明した通り、この出願の発明によって、把手本体と化粧材の嵌着部に異物が入り込んでも前から写り込んで見えるおそれがない。
【図面の簡単な説明】
【図１】この出願の発明の把手の一実施形態の取付状態を例示した縦断面図である。
【図２】同上一実施形態において使用せる化粧材を例示した縦断面図である。
【図３】従来検討されている把手の取付状態を例示した縦断面図である。
【図４】従来検討されている異なった把手の取付状態を例示した縦断面図である。
【図５】従来検討されているさらに異なった把手の取付状態を例示した縦断面図である。
【符号の説明】
１  扉板
２  把手本体
２１  手掛かり用凹所
２２  係止溝
３  化粧材
３１  透明性材料
３２  不透明性材料
３３  係止突条
３４  前面下端部
４  把手
５  把手取付具
６  止具
【図１】
0003698131.tif 000002
【図２】
0003698131.tif 000003
【図３】
0003698131.tif 000004
【図４】
0003698131.tif 000005
【図５】
0003698131.tif 000006